(57)【要約】【課題】プリント配線基板を貫通孔に沿って分離せずに使用する場合に、当該貫通孔を挟んで配置されるプリント配線基板同士の接続が補強されたプリント配線基板および該プリント配線基板を搭載したテレビジョン装置を提供する。【解決手段】貫通孔４に沿って一部の領域が分離可能なプリント配線基板１である。貫通孔４の内側に金属箔５が付され、貫通孔４の内部に半田６が充填されている。例えば、プリント配線基板１の一部は、テレビジョン装置１０のメイン基板２として、プリント配線基板１の他の一部は、テレビジョン装置１０の操作基板３として用いられる。【選択図】図１Ａ
2018148043.tif 000002
【特許請求の範囲】
【請求項１】
貫通孔に沿って一部の領域が分離可能なプリント配線基板であって、
前記貫通孔の内側に金属箔が付され、
前記貫通孔の内部に半田が充填されていることを特徴とするプリント配線基板。
【請求項２】
複数の前記貫通孔を有し、２つの前記貫通孔にジャンパ部材のそれぞれの端部が挿入されていることを特徴とする請求項１に記載のプリント配線基板。
【請求項３】
前記ジャンパ部材が２つの前記貫通孔以外の他の貫通孔をまたぐ場合、前記ジャンパ部材は他の前記貫通孔に充填された前記半田に固定されていることを特徴とする請求項２に記載のプリント配線基板。
【請求項４】
前記貫通孔を挟んで一方及び他方の前記プリント配線基板にパッドを有し、
前記貫通孔にＴ字型ジャンパ部材の脚部が挿入され、かつ、前記Ｔ字型ジャンパ部材の各腕部が前記各パッドに電気接続されていることを特徴とする請求項１から３のいずれか１に記載のプリント配線基板。
【請求項５】
前記プリント配線基板の一方及び他方が、それぞれテレビジョン装置のメイン基板及び操作基板であることを特徴とする請求項１から４のいずれか１に記載のプリント配線基板。
【請求項６】
請求項１から５のいずれか１に記載のプリント配線基板を搭載していることを特徴とするテレビジョン装置。
【発明の詳細な説明】
【技術分野】
【０００１】
本発明は、プリント配線基板およびテレビジョン装置に関し、詳しくは、貫通孔に沿って一部の領域が分離可能なプリント配線基板および該プリント配線基板を搭載したテレビジョン装置に関する。
【背景技術】
【０００２】
プリント配線基板には、基板本体の配線（回路）パターンや、部品実装用のスルーホール、および部品を実装しないスルーホール（「ビアホール」または「バイアホール」ともいう。）などが形成され、半田付けの不要な箇所は、その表面および裏面がソルダレジストにより被覆されている。また、半田付けされる箇所（「ランド」と呼ばれる。）は、銅箔等の導電性の材質からなり、その内側にスルーホールが形成されることもある。
【０００３】
また、液晶表示装置等の電子機器に搭載する所定の大きさのプリント配線基板を複数製造するために、分離可能なプリント配線基板が用いられている。例えば、プリント配線基板に略円孔状の貫通孔であるミシン目を設け、該ミシン目に沿って、プリント配線基板の一部の領域を分離可能としている。
【０００４】
ミシン目に沿ってプリント配線基板を分離する際には、分離面のバリやパターン欠けが発生しやすく、分離面からプリント配線基板内部への割れ、欠け、デラミネーション（層間剥離）を抑える技術として、特許文献１には、ミシン目近辺にまで銅箔パターンを残したプリント配線基板（印刷配線板）が開示されている。
【０００５】
このプリント配線基板は、複数のミシン目の穴で隔てられた当該プリント配線基板の表面の片面ないし両面に銅箔パターンを残すことにより、その表面に銅箔パターンを残していない部分より、基板分割時の強度が増し、当該プリント配線基板の分割の際、基材強度の弱い銅箔パターンの無い、ミシン目の穴の最短間隔部分で分割が可能となり、分割の際に発生する機能不良、外観不良を防ぐものである。
【先行技術文献】
【特許文献】
【０００６】
【特許文献１】特開平０３−１７１６８８号公報
【発明の概要】
【発明が解決しようとする課題】
【０００７】
一方、テレビジョン装置では、操作部は、テレビジョン装置の正面、側面、背面といった様々な位置に配置され得る。操作部がテレビジョン装置の略背面に配置される場合、操作部を実現するプリント配線基板の一部（以下、「操作基板」という。）は、当該プリント配線基板を構成するメインの基板から分離されずに用いられる。このような場合、操作基板は、メインの基板と電気的に接続され、かつ、操作基板上には、スイッチ機構等が設けられ、一定の外力を受けることになるので、プリント配線基板は、分離面において、強固に接続される必要がある。
【０００８】
しかしながら、特許文献１に記載のプリント配線基板は、ミシン目に沿って分離することを前提としたものであり、プリント配線基板を分離せずに使用する際に、ミシン目箇所による接続強度の低下により、プリント配線基板に生じ得る反りや撓みを防ぐことについて何ら開示するものではない。また、特に、分離可能なプリント配線基板の一部にスイッチ機構やジャック端子等が設けられる場合、当該部分に外力がかかり、プリント配線基板に反りや撓みが発生すると、スイッチ機構と該スイッチ機構を押すアングルとの間でずれが生じ、スイッチ機構が本来のスイッチの機能を果たせなくなったり、ジャック端子にジャックを挿し込んだとき、こじりによりプリント配線基板が歪んで、欠ける虞がある。
【０００９】
本発明は、上述のような実情に鑑みてなされたもので、プリント配線基板を、ミシン目のような貫通孔に沿って分離せずに使用する場合に、当該貫通孔を挟んで配置されるプリント配線基板同士の接続が補強されたプリント配線基板および該プリント配線基板を搭載したテレビジョン装置を提供することを目的とする。
【課題を解決するための手段】
【００１０】
上記課題を解決するために、本発明の第１の技術手段は、貫通孔に沿って一部の領域が分離可能なプリント配線基板であって、前記貫通孔の内側に金属箔が付され、前記貫通孔の内部に半田が充填されていることを特徴としたものである。
【００１１】
第２の技術手段は、第１の技術手段において、複数の前記貫通孔を有し、２つの前記貫通孔にジャンパ部材のそれぞれの端部が挿入されていることを特徴としたものである。
【００１２】
第３の技術手段は、第２の技術手段において、前記ジャンパ部材が２つの前記貫通孔以外の他の貫通孔をまたぐ場合、前記ジャンパ部材は他の前記貫通孔に充填された前記半田に固定されていることを特徴としたものである。
【００１３】
第４の技術手段は、第１から第３のいずれか１の技術手段において、前記貫通孔を挟んで一方及び他方の前記プリント配線基板にパッドを有し、前記貫通孔にＴ字型ジャンパ部材の脚部が挿入され、かつ、前記Ｔ字型ジャンパ部材の各腕部が前記各パッドに電気接続されていることを特徴としたものである。
【００１４】
第５の技術手段は、第１から第４のいずれか１の技術手段において、前記プリント配線基板の一方及び他方が、それぞれテレビジョン装置のメイン基板及び操作基板であることを特徴としたものである。
【００１５】
第６の技術手段は、第１から第５のいずれか１の技術手段において、プリント配線基板を搭載したテレビジョン装置であることを特徴としたものである。
【発明の効果】
【００１６】
本発明によれば、プリント配線基板を貫通孔に沿って分離せずに使用する場合に、当該貫通孔を挟んで配置されるプリント配線基板同士の接続が補強されたプリント配線基板および該プリント配線基板を搭載したテレビジョン装置を提供することができる。
【図面の簡単な説明】
【００１７】
【図１Ａ】本発明の一実施形態に係るプリント配線基板の例を説明するための図である。
【図１Ｂ】図１Ａに示すプリント配線基板の貫通孔に沿った断面図である。
【図２Ａ】本発明の他の実施形態に係るプリント配線基板の例を説明するための図である。
【図２Ｂ】図２Ａに示すプリント配線基板の貫通孔に沿った断面図である。
【図３Ａ】本発明のさらに他の実施形態に係るプリント配線基板の例を説明するための図である。
【図３Ｂ】図３Ａに示すプリント配線基板の貫通孔と各パッドを結ぶ断面図である。
【図４】プリント配線基板を搭載したテレビジョン装置の一例を説明するための図である。
【発明を実施するための形態】
【００１８】
以下、図面を参照しながら、本発明のプリント配線基板およびテレビジョン装置に係る好適な実施の形態について説明する。以下の説明において、異なる図面においても同じ符号を付した部材は同じものであるとして、その説明を省略する場合がある。
【００１９】
（第１の実施形態）
図１Ａは、本発明の一実施形態に係るプリント配線基板１の例を説明するための図であり、図１Ｂは、図１Ａに示すプリント配線基板１の貫通孔４に沿った断面図である。プリント配線基板１は、電気絶縁性の基板の表面やその内部に金属箔の配線パターンを単層または多層で印刷形成して固着し、その配線パターン上にＩＣ（集積回路）チップなどの電子部品を実装するために構成したものである。図示しない配線パターンがプリント配線基板１の両面に形成されたり、多層で形成されたりする場合は、両面間または各層間の配線パターンを導通させるために基板を貫通するスルーホールが形成される。
【００２０】
また、プリント配線基板１の材質としては、紙基材のエポキシ樹脂、ガラス布基材のエポキシ樹脂、紙基材のフェノール樹脂、ポリイミド樹脂、ポリエステル樹脂、テフロン(登録商標）およびＢＴレジンなどが挙げられる。なお、実際の基板には、図１Ａでは省略されている上述の配線パターンやスルーホールの他に、表面の絶縁処理（レジスト処理）、部品番号や部品名のシルク印刷、および機械的な加工が施されている。
【００２１】
貫通孔４は、プリント配線基板１の表面および裏面を接続する孔を指し、ミシン目４ａ、該ミシン目４ａが分離面に沿って延伸したスリット４ｂ、および該スリット４ｂの一部がプリント配線基板１の外周に当接したスリット４ｃのすべてを含むものである。また、ミシン目４ａは、本図で示されるような略円形状以外に、例えば、楕円形状または多角形状に形成されたものでもよい。そして、これらの貫通孔４は、ドリルやルータ等による機械加工またはレーザ加工によって形成されるが、プレス打ち抜き加工によって形成されてもよい。
【００２２】
プリント配線基板１は、貫通孔４を挟んで、相対的に大きな領域であるメイン基板２と、小さな領域である操作基板３とに分けられるが、両基板の大きさの違いおよび名称は便宜的なものであり、基板の大きさの違いにより、用いられる用途が限定されることを示すものではない。
【００２３】
図１Ｂに示すように、プリント配線基板１では、スリット４ｂ、およびスリット４ｂを挟んでその両側に一定の間隔を空けてミシン目４ａが設けられている。ミシン目４ａおよびスリット４ｂの内側には、金属箔５が付され、いわゆるスルーホールめっき加工処理が施されている。金属箔５としては、銅箔等が用いられる。
【００２４】
スルーホールめっき加工処理としては、必要な部分だけに無電解銅めっきをするアディティブ法と、全面に銅箔を張られた基板からエッチングにより不要な部分を取り除くサブトラクティブ法とが存在する。また、アディティブ法には、無電解銅めっきのみで厚付けめっきを施すフルアディティブ法と、レジスト印刷と電解めっきを組み合わせたセミアディティブ法などがあるが、金属箔５は、上記いずれの処理によって形成されてもよい。
【００２５】
ミシン目４ａおよびスリット４ｂの内部には、半田６が充填されている。まず貫通孔４に半田６を充填する作業をした後、プリント配線基板１に電子部品を実装することができる。半田６としては、例えば、錫、鉛、銅を主成分とするクリーム半田を用いることができる。また、錫、銀、銅等を主成分とする鉛フリー半田等を用いてもよい。クリーム半田を用いる場合、まず、ミシン目４ａおよびスリット４ｂに対し、プリント配線基板１の表面側にクリーム半田を塗布する。また、貫通孔４に半田６を充填するのは、プリント配線基板１に電子部品を実装する際に同時に行うことができる。
【００２６】
例えば、リフロー工程にてクリーム半田を溶融することで、ミシン目４ａおよびスリット４ｂの内部にクリーム半田が充填される。リフロー工程は、クリーム半田をプリント配線基板１に載せた後に、部品（表面実装部品）をプリント配線基板１に搭載し、リフロー炉により、プリント配線基板１を加熱することにより行われる。金属箔５は、スリット４ｃの内側にも付され、かつ、半田６が、スリット４ｃの内部にも充填されることで、分離面を挟んだプリント配線基板１の接続をより強固なものとする。なお、貫通孔４に半田６を充填するために、上述のリフロー工程の代わりに、フロー方式を用いてもよい。
【００２７】
（第２の実施形態）
図２Ａは、本発明の他の実施形態に係るプリント配線基板１の例を説明するための図であり、図２Ｂは、図２Ａに示すプリント配線基板１の貫通孔４に沿った断面図である。プリント配線基板１に係る構成は、図１Ａ，１Ｂに示す構成と同様であるが、さらに、スリット４ｂを挟んでその両側に一定の間隔を空けて設けられたミシン目４ａにジャンパ部材７の各端部が挿入されている。
【００２８】
図２Ｂに示すように、プリント配線基板１では、コの字型のジャンパ部材７の両端（支持部）が、一対のミシン目４ａに挿入され、該ミシン目４ａに充填された半田６により固定されている。そして、ジャンパ部材７の中間（連結部）が、ミシン目４ａの間に位置するスリット４ｂをまたいでおり、スリット４ｂに充填された半田６により、固定されている。ジャンパ部材７は、スリット４ｂの長手方向にスリット４ｂと略平行に配置され、ミシン目４ａおよびスリット４ｂに充填された半田６により、広い範囲で固定され、分離面を挟んだプリント配線基板１の接続をさらに強固なものとしている。
【００２９】
なお、図２Ａ，２Ｂでは、ジャンパ部材７は、細線として示されているが、スリット４ｂの幅方向に、半田６による固定を妨げない程度に一定の幅を有する形状のものであってもよい。また、ジャンパ部材７の各端部が、２つのミシン目４ａに挿入され、該ミシン目４ａに充填された半田６のみにより、ジャンパ部材７が固定される構成としてもよい。
【００３０】
（第３の実施形態）
図３Ａは、本発明のさらに他の実施形態に係るプリント配線基板１の例を説明するための図であり、図３Ｂは、図３Ａに示すプリント配線基板１の貫通孔４と各パッド８を結ぶ断面図である。メイン基板２と操作基板３とは、本来、分離して用いられるものであるが、一体で用いられる際には、両者の間の信号伝送のための配線が必要となる。このため、本実施形態では、貫通孔４を挟んで、その両側に各パッド８を設け、これらのパッド８をＴ字型ジャンパ部材９で接続している。
【００３１】
Ｔ字型ジャンパ部材９が挿入される貫通孔４は、図３Ａ，３Ｂで示すように、ミシン目４ａとして形成されることが好ましい。パッド８は、配線パターン８ａに電気的に接続され、ミシン目４ａを挟み、プリント配線基板１を構成するメイン基板２および操作基板３の其々の対向する位置に複数設けられている。導電性の材質からなるＴ字型ジャンパ部材９は、ミシン目４ａに挿入され、かつ、各パッド８に接触することで、各パッド８間を電気的に接続する。なお、ミシン目４ａに対し一定の距離を空けて分離面に沿って設けられた、一対の他の貫通孔４は、図３Ａでは、スリット状に形成されているが、ミシン目状に形成されたものであってもよい。
【００３２】
Ｔ字型ジャンパ部材９は、ミシン目４ａを中心に回転させることができるが、これにより、メイン基板２および操作基板３は、それぞれの配線パターンの変更なしに、プリント配線基板１として、異なる回路を実現する。すなわち、メイン基板２および操作基板３が搭載される電子機器の機種に応じて、同一の基板を用いて、スイッチの数の変更等の機種毎の機能の違いに対応することができる。
【００３３】
Ｔ字型ジャンパ部材９は、１対の腕部９ａと、該腕部９ａの中間付近の位置から腕部９ａに対し垂直方向に延びる脚部９ｂとからなる。腕部９ａは、脚部９ｂがミシン目４ａに挿入された状態において、両端がパッド８に接触可能な長さに形成されている。また、脚部９ｂは、ミシン目４ａに挿入され、腕部９ａが半田６を介してパッド８に接触している状態において、プリント配線基板１を貫通し、かつ、ミシン目４ａに充填された半田６によって固定されるとき、プリント配線基板１の裏面で半田６に埋没する程度の長さに形成されるのが好ましい。
【００３４】
図３Ｂに示すように、内側に金属箔５が付されたミシン目４ａに、Ｔ字型ジャンパ部材９の脚部９ｂが挿入された状態で半田６が充填され、かつ、Ｔ字型ジャンパ部材９の各腕部９ａが各パッド８に接触した状態で、半田６により固定されることで、各パッド８間を電気的に接続する。
【００３５】
（第４の実施形態）
図４は、プリント配線基板１を搭載したテレビジョン装置１０の一例を説明するための図である。本図では、図１Ａまたは図２Ａに示すプリント配線基板１を構成する操作基板３上に、スイッチ機構１１およびジャック端子１２が設けられ、当該プリント配線基板１がテレビジョン装置１０に内蔵されている様子が、テレビジョン装置１０の背面から透過して示されている。
【００３６】
テレビジョン装置の操作部は、テレビジョン装置の正面、側面、背面といった様々な位置に配置され得る。当該操作部は、プリント配線基板１を構成する操作基板３により実現され、操作基板３は、上記操作部のテレビジョン装置における位置により、同じくプリント配線基板１を構成するメイン基板２から分離して使用される。
【００３７】
本図で示すように、実際の操作部がテレビジョン装置１０の側背面に配置され、操作基板３のスイッチ機構１１およびジャック端子１２がテレビジョン装置１０に対し、その背面に位置するとき、操作基板３は、メイン基板２から分離されずに使用される。その場合、メイン基板２と操作基板３は、同一基板上で電気的に接続され、かつ、操作基板３上にスイッチ機構１１やジャック端子１２が設けられることにより、操作基板３は一定の外力を受けることになるので、メイン基板２と操作基板３との分離面は、強固に接続される必要がある。
【００３８】
本発明によれば、上述の如く、プリント配線基板を貫通孔に沿って分離せずに使用する場合に、当該貫通孔を挟んで配置されるプリント配線基板同士の接続が補強されたプリント配線基板および該プリント配線基板を搭載したテレビジョン装置を提供することができる。
【符号の説明】
【００３９】
１…プリント配線基板、２…メイン基板、３…操作基板、４…貫通孔、４ａ…ミシン目、４ｂ…スリット、４ｃ…スリット、５…金属箔、６…半田、７…ジャンパ部材、８…パッド、８ａ…配線パターン、９…Ｔ字型ジャンパ部材、９ａ…腕部、９ｂ…脚部、１０…テレビジョン装置、１１…スイッチ機構、１２…ジャック端子。
【図１Ａ】
2018148043.tif 000003
【図１Ｂ】
2018148043.tif 000004
【図２Ａ】
2018148043.tif 000005
【図２Ｂ】
2018148043.tif 000006
【図３Ａ】
2018148043.tif 000007
【図３Ｂ】
2018148043.tif 000008
【図４】
2018148043.tif 000009